(57)【特許請求の範囲】
【請求項１】
薄板からなるポップを支持し、板状の前面部と、該前面部の上下端から背後方向に折曲すると共に相対するように設けられた支持部と、該支持部の背後方向の端部から折曲して前記前面部に対向するように設けられた背面部と、を有し、側方に開口するポップ支持部材により支持されるキャッチポップであって、
前記ポップ支持部材に挿入され且つ上下二股に分かれた接触片により構成された取付部と、
該取付部の端部から延伸し且つ前記ポップ支持部材から突出する表示部と、
を有し、
前記取付部の上方の接触片の上辺が前記ポップ支持部材の上方の支持部に接触する曲面からなり、下方の接触片の下辺が前記ポップ支持部材の下方の支持部に接触する曲面からなることを特徴とするキャッチポップ。
【請求項２】
前記接触片の先端には、細板状のガイド部が設けられていることを特徴とする請求項１記載のキャッチポップ。
【発明の詳細な説明】
【技術分野】
【０００１】
本発明は、棚の上に載置された商品等の商品名、価格等を表示するポップに関するものであり、特に、通常のポップによる表示に、キャッチコピー、商品情報、販売期限等の付加情報を効果的に追加可能とするキャッチポップに関するものである。
【背景技術】
【０００２】
従来の一般的なポップは、図１０（ａ）に示すようなものであった。即ち、ポップ２は、前面に商品名、価格等が印刷又は書き込まれた矩形状の紙等の薄板からなる。このポップ２の取り付けには、透明な合成樹脂からなるポップ支持部材４を使用する。このポップ支持部材４は、ポップ２の前方の位置決めを行う板状の前面部４ａと、その上下端に背後方向に折曲し且つ相対するように設けられてポップ２の上下端を支持する支持部４ｂ、４ｃと、支持部４ｂ、４ｃの背後方向の端部から前面部４ａに対向するように折曲してポップ２の後方の位置決めを行う背面部４ｄ，４ｅと、を有している。このポップ支持部材４には、その左右の側方に開口するポップ挿入口４ｆを有し、図１０（ｂ）に示すように、このポップ挿入口４ｆからポップ２を挿入する。図１０（ｃ）に示すように、ポップ支持部材４内に挿入されたポップ２は、前後上下に位置決め及び支持されることで、倒れたり脱落することなく保持される。また、図１１に示すように、ポップ支持部材４は、ポップ２を挿入する前又は挿入した後で、商品８が陳列される商品陳列棚６の前方端面６ａ等に背面部４ｄ，４ｅを両面テープ等で固着することにより取り付けられる。
【０００３】
また、図１２に示すように、商品陳列棚６の前方端面６ａの上下端に、Ｌ状に折曲したレール部６ｂ、６ｃを対向するように一体に設けることでポップ支持部材１０を形成し、ここにポップ２を挿入して取り付けることもあった。この場合、ポップ２は、レール部６ｂ、６ｃの左右端のポップ挿入口６ｄから挿入するだけでなく、図１２に示すように、上下方向から押圧して彎曲させることで前方に開口したポップ挿入口６ｅから挿入することもできる。
【０００４】
上記のようなポップ２には、通常、価格、商品名等が表示されているが、販売を促進するため、商品の特徴、販売期間等、商品に関する付加情報を表示することが求められていた。そこで、２枚のポップを前後に重ねて支持部材に挿入し、前方のポップの一部に透明部を設け、その透明部から背後のポップを表示させることにより、必要に応じて多くの情報を表示可能とした表示器具が提案されていた（例えば、特許文献１参照）。
【０００５】
しかし、ポップ２は商品陳列台や棚の一部に取り付けられるものであって、その大きさが限られており、前後に２枚のポップを重ねた場合、表示面積は１枚のポップと同様となり、あまりに多くの情報を表示すると表示が小さくなって見難くなるという問題があった。そこで、表示を大きくすると、ポップ及びそれを支持する支持部材も大きくしなければならず、専用の支持部材を使用しなければならないという問題があった。
【先行技術文献】
【特許文献】
【０００６】
【特許文献１】特開平９−１６０９０号公報
【発明の概要】
【発明が解決しようとする課題】
【０００７】
本発明が解決しようとする課題は、現在使用されているポップ及びポップ支持部材を変更することなく、商品に関する付加情報を表示すると共により効果的に表示することを可能としたキャッチポップを提供することにある。
【課題を解決するための手段】
【０００８】
本発明のキャッチポップは、ポップを支持するポップ支持部材に挿入する取付部と、取付部より延伸し且つポップ支持部材から突出する表示部と、を有する。このキャッチポップにおける取付部は、上下二股に分かれた接触片により構成され、上方の接触片の上辺がポップ支持部材の上方の支持部に接触する曲面からなり、下方の接触片の下辺がポップ支持部材の下方の支持部に接触する曲面からなる。また、この接触片の先端には、細板状のガイド部が設けられている。
【発明の効果】
【０００９】
本発明のキャッチポップによれば、取付部と表示部を別個に設けて表示部をポップの表示位置の外側に位置付けているので、ポップの表示を妨げることなく付加情報を追加することができる。
【００１０】
また、本発明のキャッチポップにおける表示部は、ポップ支持部材に取り付けるために制限を受けることがないため、商品の陳列方向等に向かって大きく突出させたり形状を変更することができ、これにより効果的に表示することができる。
【００１１】
また、本発明のキャッチポップにおける取付部は、ポップ支持部材に挿入可能なものであれば形状及び構造を変更することも可能であるため、形状及び構造を変更して、表示に影響を与えることなく、より確実に取り付けることができるように構成することができる。
【図面の簡単な説明】
【００１２】
【図１】本発明の実施例１に係るキャッチポップを示す正面図である。
【図２】（ａ）は図１に示すキャッチポップをポップ支持部材に挿入するときの状態を示す斜視図、（ｂ）は図１に示すキャッチポップをポップ支持部材に挿入して取り付けた状態を示す斜視図である。
【図３】図２（ｂ）に示すポップ支持部材を商品陳列棚に取り付けた状態を示す斜視図である。
【図４】本発明の実施例２に係るキャッチポップを示す正面図である。
【図５】（ａ）は本発明の実施例３に係るキャッチポップを示す斜視図、（ｂ）及び（ｃ）はその一部変更例を示す斜視図である。
【図６】本発明の実施例４に係るキャッチポップを示す斜視図である。
【図７】本発明の実施例５に係るキャッチポップを示す正面図である。
【図８】（ａ），（ｂ）は本発明の実施例６に係るキャッチポップを示す正面図である。
【図９】本発明の実施例７に係るキャッチポップを示す正面図である。
【図１０】（ａ）は従来のポップ及びポップ支持部材を示す斜視図、（ｂ）ポップ支持部材にポップを挿入するときの状態を示す斜視図、（ｃ）ポップ支持部材にポップを収めた状態を示す斜視図である。
【図１１】従来のポップ支持部材を商品陳列棚に取り付けた状態を示す斜視図である。
【図１２】従来の他のポップ支持部材を示す斜視図である。
【発明を実施するための形態】
【００１３】
本発明のキャッチポップは、取付部と表示部を有している。取付部は、ポップを支持するポップ支持部材のポップ挿入口からポップ支持部材内に挿入され、ポップと同様にポップ支持部材によって前後上下に位置決め及び支持される。表示部は、取付部から延伸してポップ支持部材から突出している。
【００１４】
このキャッチポップにおける取付部は、キャッチポップをポップ支持部材に取り付けるためのものであって表示機能はないので、ポップの背後に挿入することができ、ポップの表示を妨げることなくポップ支持部材に挿入することができる。また、表示部は、付加情報を表示するものであって取付機能はないので、容易に表示状態を変更することができ、突出させると共に可動部を設けて、より効果的に表示することができるものとなっている。
【実施例１】
【００１５】
図１は本発明の実施例１に係るキャッチポップを示す正面図、図２（ａ）は図１に示すキャッチポップを図１０に示すポップ支持部材に挿入するときの状態を示す斜視図、図２（ｂ）は図１に示すキャッチポップを図１０に示すポップ支持部材に挿入して取り付けた状態を示す斜視図、図３は図２（ｂ）に示すポップ支持部材を商品陳列棚に取り付けた状態を示す斜視図である。
【００１６】
図１に示すキャッチポップ１２は、例えば、ボール紙等の薄板からなり、図１０に示すポップ２と同形状の矩形状をなす取付部１２Ａと、この取付部１２Ａの側方から上方に延伸され且つ前面に表示１２ａが印刷等により形成された表示部１２Ｂと、を有している。
【００１７】
取付部１２Ａの上下方向の幅は、図１０に示すポップ支持部材４の支持部４ｂ，４ｃの間隔に適合するように設定されており、左右方向の幅は、前面部４ａの左右方向の幅に適合するように設定されている。このため、図２（ａ）に示すように、取付部１２Ａをポップ支持部材４のポップ挿入口４ｆから挿入すると、取付部１２Ａがポップ支持部材４内に収まったときに、図２（ｂ）に示すように、表示部１２Ｂがポップ支持部４の側方から上方に突出することになる。また、取付部１２Ａは、ポップ２の表示の妨げとならないように、ポップ２とポップ支持部材４の背面部４ｄ，４ｅ（図１０）との間に挿入される。
【００１８】
図３に示すように、ポップ支持部材４を商品陳列棚６の前方端面６ａに取り付け、これにポップ２と共にキャッチポップ１２を挿入すると、ポップ２は通常の表示状態に保たれ、その側方から上方に向かってキャッチポップ１２の表示部１２Ｂの表示１２ａが付加される。この表示部１２Ｂは、棚の上に陳列された商品８に向かって突出しており、表示１２ａと商品８とを視覚的に関連付けるものとなっている。
【実施例２】
【００１９】
図４は本発明の実施例２に係るキャッチポップを示す正面図である。尚、図４に示すキャッチポップは、図１に示すキャッチポップと基本構成が同一であるため、同一部分には同じ符号を付して、説明を省略している。
【００２０】
このキャッチポップ１２における取付部１２Ａには、ポップ支持部材４に挿入する端部に延長部１２ｂが設けられている。この延長部１２ｂは、取付部１２Ａをポップ支持部材４内に収めたときに、表示部１２Ｂとは反対側の側方に突出するように設定されている。この延長部１２ｂの略中央には、略コの字形の切り込みに沿って切片を背面方向に起こすことにより形成される切起部１２ｃが設けられている。この切起部１２ｃは、ポップ支持部材４の端部に引っ掛かり、抜け止めとして作用する。
【実施例３】
【００２１】
図５（ａ）は本発明の実施例３に係るキャッチポップを示す斜視図、（ｂ）及び（ｃ）はその一部変更例を示す斜視図である。尚、図５に示すキャッチポップも、図１に示すキャッチポップと基本構成が同一であるため、同一部分には同じ符号を付して、説明を省略している。
【００２２】
図５（ａ）に示すキャッチポップ１２における取付部１２Ａには、ポップ支持部材４に挿入する端部に折曲部１２ｄが設けられている。この折曲部１２ｄは、取付部１２Ａの端部を延長し、ポップ支持部材４の側方から突出した部分を背後に折り曲げることにより形成される。この折曲部１２ｄも、切起部１２ｃと同様に、ポップ支持部材４の端部に引っ掛かり、またポップ支持部材４の端部に引っ掛けることができない場合はポップ支持部材内に収めることで、抜け止めとして作用する。
【００２３】
図５（ｂ）に示すキャッチポップ１２の取付部１２Ａにおいては、折曲部１２ｄを設けると共に、その上下の端辺を、取付部１２Ａの中央付近から端部に向かって上下方向の幅を狭めるように傾斜した斜辺１２ｅ，１２ｆとしている。このように斜辺１２ｅ，１２ｆを形成することにより、ポップ支持部材４のポップ挿入口４ｆに取付部１２Ａを挿入し易くすることができる。
【００２４】
図５（ｃ）に示すキャッチポップ１２の取付部１２Ａの折曲部１２ｄには、上下の端辺にほぼ平行に形成され且つ端部から内方に切り込まれた複数の切り込み１２ｇが形成されている。この切り込み１２ｇを設けることにより、折曲部１２ｄが上下方向からの押圧で彎曲し易くなり、ポップ支持部材４のポップ挿入口４ｆに折曲部１２ｄから挿入させるときに、上下方向の幅を調節して挿入し易くすることができる。
【実施例４】
【００２５】
図６は本発明の実施例４に係るキャッチポップを示す斜視図である。尚、図６に示すキャッチポップも、図１に示すキャッチポップと基本構成が同一であるため、同一部分には同じ符号を付して、説明を省略している。
【００２６】
図６に示すキャッチポップ１２は、その取付部１２Ａの上方の端部を延長して背後に折り曲げることにより形成した折曲部１２ｈを有している。この折曲部１２ｈは、取付部１２Ａと共にポップ支持部材４内に収まり、その内部から背面部４ｄ，４ｅや商品陳列棚６の前方端面６ａに接触して、抜け止めとして作用する。
【実施例５】
【００２７】
図７は本発明の実施例５に係るキャッチポップを示す正面図である。尚、図７に示すキャッチポップも、図１に示すキャッチポップと基本構成が同一であるため、同一部分には同じ符号を付して、説明を省略している。
【００２８】
図７に示すキャッチポップ１２の取付部１２Ａは、上下二股に分かれた接触片１２ｉ，１２ｊにより構成されている。取付部１２Ａをポップ支持部材４に挿入すると、接触片１２ｉの円弧状曲面からなる上辺１２ｍが支持部４ｂに接触し、接触片１２ｊの円弧状曲面からなる下辺１２ｎが支持部４ｃに接触する。このように曲面と平面が接触することにより、接触面積は非常に小さくなり、抵抗が少なくなって取付部１２Ａが挿入し易くなる。また、接触片１２ｉの先端には、細板状のガイド部１２ｐが設けられており、このガイド部１２ｐを先にポップ支持部材４に挿入することにより、接触片１２ｉ，１２ｊの方向が定まり、挿入し易い状態にすることができる。また、接触片１２ｉ，１２ｊが二股に分かれていることにより、上下方向にバネ性を有することになり、ポップ挿入口４ｆに挿入する際に入れ易く、またポップ支持部材４の支持部４ｂ，４ｃに弾性をもって確実に接触することになる。
【実施例６】
【００２９】
図８（ａ），（ｂ）は本発明の実施例６に係るキャッチポップを示す正面図である。尚、図８に示すキャッチポップも、図１に示すキャッチポップと基本構成が同一であるため、同一部分には同じ符号を付して、説明を省略している。
【００３０】
図８（ａ），（ｂ）に示すキャッチポップ１２の表示部１２Ｂには、矢印の装飾が印刷されているが文字は印刷されておらず、必要に応じて手書き、シールの貼付等によって表示を作成することができるように白抜き状態になっている。
【実施例７】
【００３１】
図９は本発明の実施例７に係るキャッチポップを示す正面図である。尚、図９に示すキャッチポップも、図１に示すキャッチポップと基本構成が同一であるため、同一部分には同じ符号を付して、説明を省略している。
【００３２】
図９に示すキャッチポップ１２の表示部１２Ｂの端部には、ピン１２ｒによって回動可能に軸着された矢印形状の指示部１２ｓが設けられている。このキャッチポップ１２においては、指示部１２ｓを回動させることで細かく商品の方向を指し示すことができ、より効果的な表示を行うことができるものとなっている。
【産業上の利用可能性】
【００３３】
本発明のキャッチポップは、図１０あるいは図１２に示すような一般に使用されているポップ支持部材に何等変更を加えることなく取り付けることができる。このため、特別な作業や設置工事をすることなく、簡単に導入して使用することが可能である。特に、着脱が容易で且つ効果的に表示できるため、使用環境に応じて使用することが可能である。
【符号の説明】
【００３４】
２              ポップ
４，１０        ポップ支持部材
４ａ            前面部
４ｂ，４ｃ      支持部
４ｄ，４ｅ      背面部
４ｆ            ポップ挿入口
６              商品輪列棚
６ａ            前方端面
６ｂ，６ｃ      レール部
６ｄ，６ｅ      ポップ挿入口
８              商品
１２            キャッチポップ
１２Ａ          取付部
１２Ｂ          表示部
１２ａ          表示
１２ｂ          延長部
１２ｃ          切起部
１２ｄ          折曲部
１２ｅ，１２ｆ  斜辺
１２ｇ          切り込み
１２ｈ          折曲部
１２ｉ，１２ｊ  接触片
１２ｍ          上辺
１２ｎ          下辺
１２ｐ          ガイド部
１２ｒ          ピン
１２ｓ          指示部
【図１】
0004748619.tif 000002
【図２】
0004748619.tif 000003
【図３】
0004748619.tif 000004
【図４】
0004748619.tif 000005
【図５】
0004748619.tif 000006
【図６】
0004748619.tif 000007
【図７】
0004748619.tif 000008
【図８】
0004748619.tif 000009
【図９】
0004748619.tif 000010
【図１０】
0004748619.tif 000011
【図１１】
0004748619.tif 000012
【図１２】
0004748619.tif 000013